(57)【要約】【課題】予め定められたタイミングになっても特定の行動を起こしていない登録者であって、且つ特定の行動を起こさなかったときにも配信情報の配信を希望している登録者に対して配信情報を配信することで、装置本体の負荷を無用に増大させることなく、登録者に対するサービスの向上が図れる情報配信装置を提供する。【解決手段】情報配信装置１は、配信予約要求受付部１４が識別コードを含む配信予約要求を受け付けると、この配信予約要求に含まれている識別コードを配信予約時刻記憶部１７に記憶する。また、情報配信装置１は、配信予約時刻記憶部に記憶されてい識別コードについて、すでに配信要求を受け付け、配信部１８から配信情報を配信したかどうかを判定する。この判定において、配信要求を受け付けておらず、配信していない未配信の配信情報があると判定すると、該当する配信先に配信情報を配信する。【選択図】図１
2004133838.tif 000002
【特許請求の範囲】
【請求項１】
識別コード毎に配信情報の配信先を記憶する配信先記憶手段と、
上記識別コードを含む上記配信情報の配信要求を受け付ける配信要求受付手段と、
上記配信要求受付手段が上記配信要求を受け付けたときに、この配信要求に含まれている識別コードについて、上記配信先記憶手段に記憶している配信先に配信情報を配信する配信手段と、を備えた情報配信装置において、
識別コードを含む配信予約要求を受け付ける配信予約要求受付手段と、
上記配信予約要求受付手段が受け付けた配信予約要求に含まれている識別コードを登録する配信予約登録手段と、
所定のタイミングになったときに、上記配信予約登録手段に登録されている識別コードについて、すでに上記配信要求受付手段が上記配信要求を受け付け、該当する配信先に配信情報を配信したかどうかを判定する配信済み判定手段と、を備え、
上記配信手段は、上記配信済み判定手段が上記配信要求受付手段において上記配信要求を受け付けておらず、配信していない未配信の配信情報があると判定すると、この未配信の配信情報を該当する配信先に配信し、
さらに、上記配信要求受付手段が受け付けた上記配信要求に含まれている識別コードが上記配信予約登録手段に登録されている場合、今回受け付けた配信要求が所定の条件を満足するかどうかを判断し、所定の条件を満足していれば該当する識別コードの登録を解除する配信予約解除手段と、を備えた情報配信装置。
【請求項２】
上記配信予約要求受付手段が受け付ける配信予約要求には、配信情報の配信予約時刻が含まれており、
上記配信予約登録手段は、上記配信予約要求受付手段が上記配信予約要求を受け付けた場合に、この配信予約要求に含まれている識別コードと配信予約時刻とを対応付けて登録し、
上記配信済み判定手段は、現在時刻が上記配信予約登録手段に登録されている配信予約時刻となった識別コードについて、すでに上記配信要求受付手段が上記配信要求を受け付け、該当する配信先に配信情報を配信したかどうかを判定する請求項１に記載の情報配信装置。
【請求項３】
上記識別コード毎に、上記配信情報を記憶する配信情報記憶手段を備え、
上記配信手段は、上記配信済み判定手段が上記配信要求受付手段において上記配信要求を受け付けておらず、配信していない未配信の配信情報があると判定した識別コードについて、上記配信情報記憶手段に記憶している該当する配信情報を配信する請求項１、または２に記載の情報配信装置。
【請求項４】
配信先記憶手段に、識別コード毎に配信情報の配信先を記憶し、上記識別コードを含む上記配信情報の配信要求を受け付けたときに、この配信要求に含まれている識別コードについて、上記配信先記憶手段に記憶している配信先に配信情報を配信する情報配信方法において、
配信予約要求を受け付けたときに、この配信予約要求に含まれている識別コードについて配信予約登録を行う第１のステップと、
所定のタイミングになったときに、上記配信予約登録されている識別コードについて、すでに上記配信要求を受け付け、該当する配信先に配信情報を配信したかどうかを判定する第２のステップと、
上記第２のステップにおいて、上記配信要求を受け付けておらず、該当する配信先に配信情報を配信していないと判定された場合に、この配信先に配信情報を配信する第３のステップと、
上記配信要求を受け付けたときに、この配信要求に含まれている識別コードが上記配信予約登録されている場合に、今回受け付けた配信要求が所定の条件を満足するかどうかを判断し、所定の条件を満足していれば上記配信予約登録を解除する第４のステップと、を備えた情報配信方法。
【発明の詳細な説明】
【０００１】
【発明の属する技術分野】
この発明は、登録者に対して定期的に情報を配信する情報配信装置、および情報配信方法に関し、特に登録者が予め定められている特定の行動を起こしたときに、この登録者に情報を配信する情報配信装置、および情報配信方法に関する。
【０００２】
【従来の技術】
従来、登録者毎に属性情報（趣味、嗜好、年齢、性別等）や、情報の配信先を登録しておき、登録者の属性情報に応じた配信情報を、この登録者に予め定められたタイミングで定期的に配信する情報配信装置があった。例えば、登録者が駅に設置されている自動改札機の通路を通行したとき（駅に入場したときや、駅から退場したとき）、配信情報をこの登録者の携帯電話に電子メールで配信する情報配信装置があった（特許文献１、２）。この特許文献１、２に記載されている情報配信装置は、自動改札機から登録者が通路を通行する際に使用した定期券の識別コードを取得し、この定期券の識別コードから自動改札機の通路を通行した登録者を特定している。また、登録者が駅に入場したのか、駅から退場したのかを判断し、この登録者の目的地（駅に入場した登録者の目的地を行き先の駅付近、駅から退場した登録者の目的地を退場した駅付近）を推測し、ここで推測した目的地に応じた情報を登録者に配信している。このように、登録者は、特定の行動（日常的に行っている行動）を起こしたときに、自分の趣味、嗜好だけでなく、目的地に応じた配信情報を受け取ることができ、またこの配信情報を受け取るために特別な行動を起こす必要がない。
【０００３】
【特許文献１】
特開平８−１８５２３号公報
【特許文献２】
国際公開第０２／３３６０９号パンフレット
【０００４】
【発明が解決しようとする課題】
しかしながら、上記特許文献１、２に記載されている情報配信装置は、登録者が駅に設置されている自動改札機の通路を通行したときに、配信情報を配信する構成であるので、自動改札機の通路を通行しない登録者については配信情報が配信されない。このため、登録者は、通勤、通学しない休日に配信情報の配信を受けることができない。一方、多数の登録者が、天気予報、やニュース等の配信情報については、通勤、通学しない休日であっても、配信を希望している。特に、登録者が学生の場合、夏休み、冬休み、春休み等、長期間の休みに入ると、この休みの間、電車を殆ど利用しない登録者も多く、配信情報が配信されない期間が長期間にわたることもあった。このように、休日にも、配信情報の配信を希望している多数の登録者に対するサービスがよくないという問題があった。
【０００５】
なお、通勤、通学しない休日に、配信情報の配信を希望しない登録者も多数いるので、自動改札機の通路を通行しなかった登録者について、一律に配信情報を配信しても、登録者に対するサービスの向上につながらない。
【０００６】
また、自動改札機の通路を通行していない登録者に対して配信情報を配信するためには、全登録者について、自動改札機の通路を通行したかどうか（すでに配信情報を配信したかどうか）を判定しなければならず、情報配信装置の負荷を無用に増大させ、情報配信装置の動作を不安定にするという問題がある。
【０００７】
この発明の目的は、特定の行動を起こした登録者に対して配信情報を配信するとともに、予め定められたタイミングになっても特定の行動を起こしていない登録者であって、且つ特定の行動を起こさなかったときにも配信情報の配信を希望している登録者に対して配信情報を配信することで、装置本体の負荷を無用に増大させることなく、登録者に対するサービスの向上が図れる情報配信装置、および情報配信方法を提供することにある。
【０００８】
【課題を解決するための手段】
この発明の情報配信装置は上記課題を解決するために以下の構成を備えている。
【０００９】
（１）識別コード毎に配信情報の配信先を記憶する配信先記憶手段と、
上記識別コードを含む上記配信情報の配信要求を受け付ける配信要求受付手段と、
上記配信要求受付手段が上記配信要求を受け付けたときに、この配信要求に含まれている識別コードについて、上記配信先記憶手段に記憶している配信先に配信情報を配信する配信手段と、を備えた情報配信装置において、
識別コードを含む配信予約要求を受け付ける配信予約要求受付手段と、
上記配信予約要求受付手段が受け付けた配信予約要求に含まれている識別コードを登録する配信予約登録手段と、
所定のタイミングになったときに、上記配信予約登録手段に登録されている識別コードについて、すでに上記配信要求受付手段が上記配信要求を受け付け、該当する配信先に配信情報を配信したかどうかを判定する配信済み判定手段と、を備え、
上記配信手段は、上記配信済み判定手段が上記配信要求受付手段において上記配信要求を受け付けておらず、配信していない未配信の配信情報があると判定すると、この未配信の配信情報を該当する配信先に配信し、
さらに、上記配信要求受付手段が受け付けた上記配信要求に含まれている識別コードが上記配信予約登録手段に登録されている場合、今回受け付けた配信要求が所定の条件を満足するかどうかを判断し、所定の条件を満足していれば該当する識別コードの登録を解除する配信予約解除手段と、を備えている。
【００１０】
この構成では、配信要求受付手段が識別コードを含む配信情報の配信要求を受け付けると、配信手段が、この配信要求に含まれている識別コードに対応する配信先に配信情報を配信する。例えば、駅の改札口に設置されている自動改札機が、自動改札機の通路を通行した登録者が使用した定期券の識別コードを含む配信要求を出力する。配信要求受付手段がこの配信要求を受け付ける。
【００１１】
配信要求受付手段が受け付ける配信要求を出力する装置としては、上記自動改札機のように、登録者の日常的な行動を検出することができる装置を利用するのが好ましい。その理由は、登録者が日常的に行っている行動を起こしたときに、配信情報を受け取ることができるので、配信情報を受け取るために特別な行動を起こす必要がなく、手間をかけずに配信情報を受け取ることができるからである。
【００１２】
また、配信予約要求受付手段が識別コードを含む配信予約要求を受け付けると、配信予約登録手段がこの配信予約要求に含まれている識別コードについて配信予約を登録する。配信予約要求は、例えば登録者が携帯電話や、パーソナルコンピュータを操作して、インタネット経由で送信する。また、装置本体に対して配信予約要求が行える装置を適当な場所、例えば駅構内、に設置し、各登録者が必要に応じて利用できるようにしてもよい。
【００１３】
また、配信済み判定手段が所定のタイミングで配信予約登録手段に登録されてい識別コードについて、すでに配信要求受付手段が配信要求を受け付け、配信手段により配信情報を配信したかどうかを判定する。この判定において、配信要求受付手段が配信要求を受け付けておらず、配信していない未配信の配信情報があると判定すると、配信手段が該当する配信先に配信情報を配信する。
【００１４】
したがって、特定の行動を起こさなかったときにも配信情報の配信を希望する登録者の場合、予め配信予約要求を送信しておけば、特定の行動を起こさなかったときにも配信情報の配信を受けることができる。これにより、特定の行動を起こさなかったときにも配信情報の配信を希望している登録者に対するサービスの向上が図れる。また、装置本体においては、特定の行動を起こさなかったときに配信情報の配信を希望していない登録者、すなわち配信予約要求を装置本体に送信していない登録者、については、すでに配信情報を配信したかどうかを判定する必要がないので、負荷が無用に増大されることもなく、負荷の無用な増大により動作が不安定になるのを防止できる。
【００１５】
さらに、配信要求受付手段が配信要求を受け付けたとき、配信予約解除手段により、この配信要求に含まれている識別コードが配信予約登録手段に登録されているかどうかが判定され、この識別コードが配信予約登録手段に登録されていれば、今回受け付けた配信要求が所定の条件を満足する配信要求であるかどうかが判定され、さらに所定の条件を満足すると判定された場合に配信予約登録手段に記憶されている該当する識別コードが削除される。ここで言う所定の条件とは、例えば前日に配信要求を受け付けた識別コードである場合（２日連続して配信要求を受け付けた識別コードである場合）、配信予約要求の受付後に配信要求を受け付けた合計回数が３回以上である場合、等の条件であってもよいし、配信要求を受け付けにより満足する条件（すなわち、所定の条件が実質的に無条件）であってもよい。
【００１６】
これにより、登録者は、休日の前日に配信予約要求を送信しておけば、休日に特定の行動を起こさなくても、配信情報の配信が受けられ、また、休日が終わって特定の行動を起こすようになると、配信予約の登録が自動的に解除される。したがって、無用になった配信予約がいつまでも配信予約登録手段に登録されつづけることがなく、装置本体の負荷を効率的に低減することができる。
【００１７】
（２）上記配信予約要求受付手段が受け付ける配信予約要求には、配信情報の配信予約時刻が含まれており、
上記配信予約登録手段は、上記配信予約要求受付手段が上記配信予約要求を受け付けた場合に、この配信予約要求に含まれている識別コードと配信予約時刻とを対応付けて登録し、
上記配信済み判定手段は、現在時刻が上記配信予約登録手段に登録されている配信予約時刻となった識別コードについて、すでに上記配信要求受付手段が上記配信要求を受け付け、該当する配信先に配信情報を配信したかどうかを判定する。
【００１８】
この構成では、配信要約要求に配信予約時刻が含まれており、配信予約登録手段が識別コードと、配信予約時刻とを対応付けて登録する。配信済み判定手段は、現在時刻が上記配信予約登録手段に登録されている配信予約時刻となった識別コードについて、すでに上記配信要求受付手段が上記配信要求を受け付け、該当する配信先に配信情報を配信したかどうかを判定し、配信情報が未配信であると判別した識別コードについて、配信手段が配信情報を配信する。したがって、登録者は、特定の行動を起こさなかったとき、未配信の配信情報を受け取る時刻を指定することができ、自分の行動にあったタイミングで配信情報を受け取ることができる。
【００１９】
（３）上記識別コード毎に、上記配信情報を記憶する配信情報記憶手段を備え、
上記配信手段は、上記配信済み判定手段が上記配信要求受付手段において上記配信要求を受け付けておらず、配信していない未配信の配信情報があると判定した識別コードについて、上記配信情報記憶手段に記憶している該当する配信情報を配信する。
【００２０】
この構成では、配信情報記憶手段が識別コード毎に配信情報を記憶しているので、配信要求受付手段が受け付けた配信要求に含まれている識別コードに対応する配信先に配信情報を配信することができる。したがって、配信要求を受け付けると、略リアルタイムに配信情報を配信することができる。
【００２１】
また、所定のタイミングなったときに、配信要求を受け付けておらず、配信していない未配信の配信情報があると判定された識別コードについて、すぐに配信情報を配信することができる。
【００２２】
【発明の実施の形態】
以下、この発明の実施形態である情報配信装置について詳細に説明する。
【００２３】
図１は、この発明の実施形態である情報配信装置を適用した情報配信システムの構成を示す図である。図１において、１はこの発明の実施形態である情報配信装置である。２は、情報配信装置１に対して配信情報の配信要求を行う自動改札機であり、３は情報配信装置１から配信情報が配信される登録者４が所有する携帯電話である。
【００２４】
なお、ここで言う登録者４は、情報配信装置１に対して配信情報の配信を登録している者であり、利用者という場合は登録者、または未登録者である。
【００２５】
自動改札機２は、駅の改札口に設置され、利用者の駅への入場、または駅からの退場を制限する公知の装置である。自動改札機２は、本体に投入された乗車券、例えば定期券、キップ、プリペイドカード、が適正であるかどうかを判定し、適正であると判定すると通路における利用者の通行を許可し、反対に適正でないと判定すると通路における利用者の通行を禁止する。自動改札機２は、本体に投入された乗車券から読み取った乗車券情報等を駅のホスト装置（不図示）に送信する。ホスト装置は、駅における乗降客の管理や、キップ、定期券等の乗車券の発行管理等を行う。自動改札機２に投入された乗車券が定期券であり、且つこの定期券が有効であった場合（自動改札機において利用者の通行を許可した場合）、このホスト装置が情報配信装置１へ配信要求を送信する。この配信要求には、自動改札機２に投入された定期券の識別コードが含まれている。この実施形態の情報配信装置１は、定期券の識別コードからこの定期券の所有者、すなわち自動改札機２の通路を通行した登録者４、を特定し、ここで特定した登録者４に配信情報を配信する。
【００２６】
図２は、この発明の実施形態である情報配信装置の構成を示すブロック図である。情報配信装置１は、本体の動作を制御する制御部１１と、現在時刻を計時する時計１２と、自動改札機２から出力された配信情報の配信要求を受け付ける配信要求受付部１３と、登録者４の携帯端末４や図示していないパーソナルコンピュータ、駅に設置されている専用端末等から送信されてきた配信予約要求を受け付ける配信予約要求受付部１４と、登録者４の識別コードに対応付けて、この登録者４の趣味、嗜好、年齢、性別等の属性情報、配信情報の配信先（ここでは、登録者４が所有する携帯電話３に付与されているメールアドレス）を記憶する登録者情報記憶部１５と、登録者４の識別コードに対応付けて、この登録者４に配信する配信情報を記憶する配信情報記憶部１６と、登録者４の識別コードに配信情報を配信する配信予約時刻を対応付けて記憶する配信予約時刻記憶部１７と、配信情報を登録者４へ配信する配信部１８と、を備えている。
【００２７】
登録者情報記憶部１５には、図３に示すように、登録者４を識別する識別コード（この登録者が所有する定期券の識別コード）に対応付けて、この登録者４の趣味、嗜好、年齢、性別等の属性情報、配信情報の配信先（ここでは登録者４が所有する携帯電話３に付与されているメールアドレス）等が記憶されている。この登録者情報記憶部１５が、この発明で言う配信先記憶手段を有している。
【００２８】
配信情報記憶部１６には、登録者の識別コードに対応付けて配信する配信情報が記憶されている。一般に、通勤、通学に定期券を使用する登録者４は、１日に自宅と、会社または学校との間を往復する。このため、登録者４は、駅に設置されている自動改札機２の通路を、１日当たり４回通行する。具体的には、
（１）自宅近くの駅に入場するとき、
（２）会社または学校近くの駅から退場するとき、
（３）会社または学校近くの駅に入場するとき、
（４）自宅近くの駅から退場するとき、
の４回であり、上記（１）、（２）が会社または学校への通勤、通学時であり、上記（３）、（４）が自宅への帰宅時である。
【００２９】
配信情報記憶部１６には、図４に示すように、登録者４毎に配信情報を記憶する記憶領域が４つ（領域Ａ〜領域Ｄ）設けられている。領域Ａは自宅近くの駅に入場したときに配信する配信情報を記憶する領域であり、領域Ｂは会社、または学校近くの駅から退場したときに配信する配信情報を記憶する領域であり、領域Ｃは会社、または学校近くの駅に入場したときに配信する配信情報を記憶する領域であり、領域Ｄは自宅近くの駅から退場したときに配信する配信情報を記憶する領域である。
【００３０】
登録者４の目的地を考慮すると、会社や、学校近くの店舗やイベントに関する配信情報については、領域Ａ、Ｂに記憶させるのが好ましく、自宅近くの店舗やイベントに関する配信情報については、領域Ｃ、Ｄに記憶させるのが好ましい。また、その日の天気予報（配信情報）は領域Ａに記憶させ、翌日の天気予報（配信情報）は領域Ｄに記憶させるのが好ましい。
【００３１】
配信情報記憶部１６に記憶されている配信情報は、毎日更新される。例えば、自動改札機２の通路を通行する利用者がいない終電後の深夜に、登録者４毎に配信情報記憶部１６に記憶している配信情報（領域Ａ〜領域Ｄに記憶している配信情報）が更新される。
【００３２】
なお、情報配信装置１は、インタネット等を利用して登録者４に配信する配信情報を取得する。
【００３３】
また、配信予約時刻記憶部１７は、図５に示すように、配信予約時刻別に識別コードを記憶している。図４では、識別コードが「１２３４５６７８」、「１３２４６８９５４」、「１００２５４６８７」、「２４５６３１２０７」・・・である登録者４の配信予約時刻が９時００分であり、識別コードが「１４７２５８３６９」、「２８９６４５７２３」、「６９７８７５３６２５」、「４８５９７２４６５」・・・である登録者４の配信予約時刻が９時１５分であり、識別コードが「１４７２５９０００」、「１４３２５８９２０」、「１８１８６５４２３」、「３４５２６１８７２」・・・である登録者４の配信予約時刻が９時３０分である例を示している。配信予約時刻は、登録者４が設定した時刻であり、ここでは配信予約時刻が１５分単位で設定できる例を示している。
【００３４】
配信予約要求受付部１４において、インタネットを介して送信されてきた配信予約要求を受け付けると、この配信予約要求に含まれている配信予約時刻に基づいて、この配信予約要求に含まれている識別コードが配信予約時刻記憶部１７に登録される。図６は、情報配信装置に対して配信予約要求を送信する携帯電話３の画画面例を示す図である。登録者４は自分が所有する定期券の識別コード、および配信予約時刻を入力し、登録ボタンを押すことにより、インタネット上のサーバ装置を介して、情報配信装置１に配信予約要求を送信することができる。
【００３５】
なお、この配信予約要求の送信は、登録者４の所有する携帯電話３だけでなく、パーソナルコンピュータ（不図示）で行えるようにしてもよいし、駅等に設置した専用の装置（不図示）で行えるようにしてもよい。
【００３６】
また、この実施形態では、上述したように配信予約時刻が１５分単位で設定されるようにしているので、送信されてきた配信予約時刻が、例えば９時１５分〜９時２９分の間であれば、配信予約時刻を９時１５分と判断し、この判断に基づいて今回受け付けた配信予約要求に含まれている識別コードを配信予約時刻記憶部１７に記憶する。
【００３７】
以下、この実施形態の情報配信装置１を適用した情報配信システムの動作について説明する。図７は自動改札機の動作を示すフローチャートである。自動改札機２は、登録者４により本体に乗車券が投入されると（ｓ１）、この乗車券に記録されている乗車券情報に基づいて通路における登録者４の通行を許可するかどうかを判定する（ｓ２）。ここで、登録者４の通行を許可しないと判定すると、自動改札機２に設けられているドアを閉し、登録者４の通行を禁止するエラー処理を行って（ｓ５）、本処理を終了する。
【００３８】
自動改札機２は、ｓ２で登録者４の通行を許可すると判定すると、ドアを開して登録者４の通行を許可し、本体に投入された乗車券が定期券であるかどうかを判定する（ｓ３）。ここで、定期券であると判定すると、この定期券から読み取った識別情報、この自動改札機２が設置されている駅を示す駅コード、登録者４が駅に入場したのか駅から退場したのかを示す入退場情報、を含む配信要求を情報配信装置１へ送信する（ｓ４）。反対に、投入された乗車券が定期券でなければ、上記ｓ４の処理を行うことなく、ｓ１に戻る。
【００３９】
なお、自動改札機２は、登録者４の通行を禁止した場合この登録者４が本体に投入した乗車券を常に放出するが、登録者４の通行を許可した場合には、この登録者４が本体に投入した乗車券を回収することもある（必要に応じて乗車券を放出する。）。
【００４０】
また、上記図７に示したｓ３、ｓ４の処理については、実際には図示していない駅のホスト装置において実行され、自動改札機２はホスト装置に対して利用者の通過情報を送信するだけである。但し、図７に示すように自動改札機２にｓ３、ｓ４にかかる処理を実行させてもよい。
【００４１】
次に、情報配信装置１の動作について説明する。図８は、情報配信装置の動作を示すフローチャートである。情報配信装置１は、配信予約要求受付部１４において配信予約要求を受け付けるか（ｓ１１）、配信要求受付部１３において配信要求を受け付けるか（ｓ１２）、現在時刻が１５分単位で設定されている配信予約時刻になるのを待っている（ｓ１３）。情報配信装置１は、配信予約要求を受け付けると、図９に示す配信予約処理を実行し（ｓ１４）、配信予約要求を受け付けると、図１０に示す情報配信処理を実行する（ｓ１５）。また、現在時刻が配信予約時刻になったことを検出すると、図１１に示す予約配信処理を実行する（ｓ１６）。この予約配信処理は、配信予約時刻の設定間隔である１５分毎に実行される。
【００４２】
まず、図９を参照しながら、ｓ１４にかかる配信予約処理について説明する。情報配信装置１は、配信予約要求受付部１４において配信予約要求を受け付けると、この配信予約要求に含まれている識別コードを配信予約時刻記憶部１７に登録する（ｓ２１）。具体的には、今回受け付けた配信予約要求に含まれている配信予約時刻に識別コードを対応付けて配予約時刻記憶部１７に記憶させる。
【００４３】
なお、配信予約時刻については予め定めた時刻、例えば午前１０時００分、とし、登録者４が配信予約時刻を指定できないようにしてもよい。この場合、配信予約要求に配信予約時刻を含ませる必要はない。この場合、上記ｓ１３では、この予め設定されている配信予約時刻になったときに、後述するｓ１６にかかる予約配信処理を実行する。
【００４４】
ここでは、登録者４が自分の行動に応じたタイミングで配信情報を受け取れるように、登録者４が配信予約時刻を指定できるようにしている。
【００４５】
次に、図１０を参照しながら、ｓ１５にかかる情報配信処理について説明する。
【００４６】
情報配信装置１は、配信要求受付部１３において配信要求を受け付けると、この配信要求に含まれている定期券の識別コードを用いて、自動改札機２の通路を通行した利用者が登録者４であるかどうかを判定する（ｓ３１）。具体的には、今回の配信要求に含まれている定期券の識別コードが登録者情報記憶部１４に登録されているかどうかを判定する。情報配信装置１は、ｓ３１で登録者４でないと判定すると、本処理を終了する。
【００４７】
反対に、登録者４であると判定すると、登録者情報記憶部１５から配信情報の配信先（メールアドレス）を読み出す（ｓ３２）。また、今回受け付けた配信要求に含まれている識別コードを用いて配信情報記憶部１６を検索し、該当する登録者４について記憶されている配信情報の有無を確認し（ｓ３３）、配信情報があればこの配信情報を読み出す（ｓ３４）。
【００４８】
なお、ｓ３３では、配信情報記憶部１６において、登録者４の行動（駅に入場したのか駅から退場したのか、自宅近くの駅か会社または学校近くの駅か）に応じた領域Ａ〜Ｄに配信情報が記憶されているかどうかを判定している。
【００４９】
情報配信装置１は、配信部１８において、ｓ３２で読み出した配信先に対して、ｓ３４で読み出した配信情報を電子メールで配信し（ｓ３５）、配信情報記憶部１６に記憶されている今回配信した配信情報を削除する（ｓ３６）。配信情報は、電子メール本文で配信してもよいし、電子メールの添付ファイルで配信してもよい。また、ｓ３６で配信した配信情報を削除するかわりに、今回配信した配信情報に対して配信済みを示すマークをつけるようにしてもよい。
【００５０】
情報配信装置１から配信された電子メールは、インタネットを介して、自動改札機２の通路を通行した登録者４の携帯電話３に配信される。登録者４は、携帯電話３において、情報配信装置１から配信されてきた配信情報を確認することができる。
【００５１】
また、登録者４の行動（駅に入場したのか駅から退場したのか、自宅近くの駅か会社または学校近くの駅か）に応じて配信する配信情報が、予め配信情報記憶部１６に記憶されているので、配信要求を受け付けると、すぐに登録者４の携帯電話３に配信情報を配信することができ、登録者４がホームに向かっているときや、ホームで電車待っている間に（登録者４が電車に乗る前に）、配信した配信情報を登録者４に確認させることができる。
【００５２】
さらに、情報配信装置１は、今回受け付けた配信要求に含まれている識別コードが配信予約時刻記憶部１７に記憶されているかどうか（配信予約している登録者であるかどうか）を判定し（ｓ３７）、記憶されていればこの識別コードを配信予約時刻記憶部１７から削除する、配信予約登録解除を行って（ｓ３８）、本処理を終了する。
【００５３】
なお、ｓ３３で配信情報がないと判定した場合には、上記ｓ３４〜ｓ３６の処理については実行されず、また、ｓ３７において配信予約している登録者でないと判定した場合には、ｓ３８の処理については実行されない。
【００５４】
また、ここでは、配信要求を受け付けたときに、この配信要求に含まれている識別コードが配信予約時刻記憶部１７に記憶されていると、この識別コードを配信予約時刻記憶部１７から削除するとしたが、２日間連続して配信要求を受け付けたときに、配信予約時刻記憶部１７に記憶されている該当する識別コードを削除するようにしてもよい。この場合、識別コード毎に最後に配信要求を受け付けた日を記憶する構成を設ければよい。また、配信予約要求を受け付けてから、配信要求を所定回数受け付けたときに、配信予約時刻記憶部１７に記憶されている該当する識別コードを削除するようにしてもよい。この場合には、識別コード毎に配信予約要求を受け付けてから、配信要求を受け付けた回数をカウントするカウンタを設ければよい。
【００５５】
このように、構成すれば、長期間にわたる、学生の春休み、夏休み、冬休み等の期間中において、一時的に自動改札機２の通路を通行した登録者４の配信予約の登録が解除されることがなく、登録者４に何度も配信予約要求を送信するための操作を行わせることが防止でき、登録者４の手間を削減することができる。
【００５６】
次に、図１１を参照しながら、ｓ１６にかかる予約配信処理について説明する。
【００５７】
情報配信装置１は、時計１２で計時されている時刻が１５分単位で設定されている配信予約時刻になると、この配信予約処理を実行する。すなわち、１５分毎にこの配信予約処理を実行する。情報配信装置１は、現在時刻が配信予約時刻になった登録者４の識別コードを配信予約時刻記憶部１７から読み出す（ｓ４１）。
【００５８】
情報配信装置１は、ｓ４１で識別コードを読み出した登録者４について、今日すでに配信要求を受け付けた識別コードであるかどうかを判定する（ｓ４２）。具体的には、今日配信情報を配信していない未配信の登録者４であるかどうかを判定する。多くの場合、今日すでに、配信要求を受け付けた登録者４の識別コードは、上記ｓ３８で配信予約時刻記憶部１７から削除されているが、その後に配信予約要求を行った登録者４もいるので、ｓ４２の判定を行っている。また、ｓ４２にかかる処理を設けることで、上述した２日間連続して配信要求を受け付けたときに、配信予約時刻記憶部１７に記憶されている該当する識別コードを削除する構成とした場合や、配信予約要求を受け付けてから、配信要求を所定回数受け付けたときに、配信予約時刻記憶部１７に記憶されている該当する識別コードを削除する構成とした場合にも対応できる。
【００５９】
情報配信装置１は、ｓ４２で今日配信要求を受け付けていない識別コードであると判定すると、その識別コードについて配信情報記憶部１６に記憶されている配信情報を読み出すとともに（ｓ４３）、登録者情報記憶部１５から該当する登録者４の配信先（メールアドレス）を読み出す（ｓ４４）。情報配信装置１は、ｓ４４で読み出した配信先へ、ｓ４３で読み出した配信情報を配信し（ｓ４５）、ここで配信した配信情報を配信情報記憶部１６から削除する（ｓ４６）。
【００６０】
なお、ｓ４３で配信情報記憶部１６から読み出す配信情報は、天気予報やニュース等の配信情報とし、例えば会社や学校近くの店舗の広告等については、読み出さない（配信しない）構成としてもよい。配信予約時刻になって、配信情報が配信される登録者４は、多くの場合、通勤、通学しない休日であるので、会社や学校近くの店舗の広告が配信しても、登録者４にとって有効な情報ではなく、無用な情報の配信による煩わしさを登録者４に感じさせることがない。
【００６１】
情報配信装置１は、ｓ４５で配信情報を配信し、ｓ４６で配信した配信情報を削除すると、今回配信予約時刻になった登録者４全員について、上記ｓ４１〜ｓ６の処理を行ったかどうかを判定し（ｓ４７）、未処理の登録者４がいればその登録者４について同様の処理を行う。
【００６２】
なお、今日配信要求を受け付けた登録者４については、ｓ４２〜ｓ４６の処理は行われない。
【００６３】
このように、この実施形態の情報配信装置１は、配信予約時刻になった登録者４について、今日配信要求を受け付けた登録者４であるかどうかを判定し、今日配信要求を受け付けていない登録者４（多くの場合、休日の登録者４）について、配信情報を配信するようにしたので、休日で通勤、通学しない登録者４へも、配信情報を配信することができる。これにより、登録者４に対するサービスの向上が図れる。
【００６４】
また、休日に配信情報の配信を希望しない登録者４、すなわち配信予約時刻記憶部１７に識別コードが記憶されていない登録者４、については、自動改札機２の通路を通行しない休日に配信情報を配信しないので、休日に配信情報の配信を希望しない登録者４に対するサービスを低下させることもない。また、情報配信装置１は、休日に配信情報の配信を希望しない登録者４について、図１１に示した予約配信処理を行わないので、装置本体の負荷が無用に増大するのを防止できる。また、上記ｓ３７、ｓ３８で、配信予約時刻記憶部１７に記憶されている識別コードを、自動的に削除するように構成したので、登録者４は、休日の前日に配信予約要求を送信しておけば、休日に自動改札機２の通路を通行しなくても、配信情報の配信が受けられ、また、休日が終わって自動改札機２の通路を通行するようになると、配信予約が自動的に解除される。したがって、無用になった配信予約（識別コード）がいつまでも配信予約時刻記憶部１７に記憶されつづけることがなく、装置本体の負荷を効率的に低減することができる。
【００６５】
また、その内容に連続性があり、且つ複数回にわたって配信する特定配信情報を確実に配信することができる。例えば、特定配信情報が全４０回の英語学習にかかる情報である場合、登録者４は英語学習にかかる情報を欠落することなく、全て取得することができ、英語学習が十分に行える。したがって、登録者４に対するサービスの向上が図れるとともに、登録者４からの信頼を低下させることもない。
【００６６】
また、未配信の通常配信情報については、配信予約時刻になっても登録者４に配信しないので、登録者４に対して無駄な配信情報を配信することがなく、登録者に煩わしさを感じさせるのを防止できる。これにより、登録者に対するサービスの一層の向上が図れる。
【００６７】
なお、上記実施形態では、自動改札機２が情報配信装置１に対して配信要求を送信するとしたが、自動改札機１以外の他の装置が情報配信装置１に対して配信要求を出力する情報配信システムであって、本願発明にかかる情報配信装置を適用できる。この場合、配信要求を送信する装置は、登録者４の日常の行動を検出することができる装置であるのが好ましい。
【００６８】
また、上記実施形態では、登録者情報記憶部１５、配信情報記憶部１６、配信予約時刻記憶部１７、をそれぞれ独立して設けたことを前提に説明している。これら３つの記憶部において識別コードが共通しているので、これら３つの記憶部に記憶されている情報を識別コードを基準にして、ひとつの記憶部に記憶させても機能的には変わりない。さらに、配信要求受付部１３、および配信予約要求受付部１４は、１つの受信部で構成してもよい。
【００６９】
【発明の効果】
以上のように、この発明によれば、特定の行動を起こさなかったときにも配信情報の配信を希望する登録者の場合、予め配信予約要求を送信しておけば、特定の行動を起こさなかったときにも配信情報の配信を受けることができるようになり、登録者に対するサービスの向上が図れる。また、装置本体においては、特定の行動を起こさなかったときに配信情報の配信を希望していない登録者、すなわち配信予約要求を装置本体に送信していない登録者、については、すでに配信情報を配信したかどうかを判定する必要がないので、負荷が無用に増大されることもなく、負荷の無用な増大により動作が不安定になるのを防止できる。
【００７０】
さらに、登録者は、休日の前日に配信予約要求を送信しておけば、休日に特定の行動を起こさなくても、配信情報の配信が受けられ、また、休日が終わって特定の行動を起こすようになると、配信予約が自動的に解除される。したがって、無用になった配信予約がいつまでも配信予約登録手段に記憶されつづけることがなく、装置本体の負荷を効率的に低減できる。
【図面の簡単な説明】
【図１】この発明の実施形態である情報配信装置を適用した情報配信システムの構成を示す図である。
【図２】この発明の実施形態である情報配信装置の構成を示すブロック図である。
【図３】この実施形態の情報配信装置の登録者情報記憶部の構成を説明する図である。
【図４】この実施形態の情報配信装置の配信情報記憶部の構成を説明する図である。
【図５】この実施形態の情報配信装置の配信予約時刻記憶部の構成を説明する図である。
【図６】特定配信情報の登録画面例を示す図である。
【図７】情報配信システムにおける自動改札機の動作を示すフローチャートである。
【図８】この発明の実施形態である情報配信装置の動作を示すフローチャートである。
【図９】この実施形態の情報配信装置における配信予約処理を示すフローチャートである。
【図１０】この実施形態の情報配信装置における情報配信処理を示すフローチャートである。
【図１１】この実施形態の情報配信装置における予約配信処理を示すフローチャートである。
【符号の説明】
１−情報配信装置
１１−制御部
１２−タイマ
１３−配信要求受付部
１４−配信予約要求受付部
１５−登録者情報記憶部
１６−配信情報記憶部
１７−配信予約時刻記憶部
１８−配信部
【図１】
2004133838.tif 000003
【図２】
2004133838.tif 000004
【図３】
2004133838.tif 000005
【図４】
2004133838.tif 000006
【図５】
2004133838.tif 000007
【図６】
2004133838.tif 000008
【図７】
2004133838.tif 000009
【図８】
2004133838.tif 000010
【図９】
2004133838.tif 000011
【図１０】
2004133838.tif 000012
【図１１】
2004133838.tif 000013